(57)【特許請求の範囲】
【請求項１】
薄板で構成される表面材と表面材裏面の中央部に設けられる補強材と表面材裏面の左右端部に設けられる縦桟を備える壁パネルにおいて、表面材の上端部は裏面側に折り曲げられて上面が形成され、上面の左右端部は縦桟上部または補強材上部まで切り欠かれて形成されており、表面材の下端部は裏面側に折り曲げられて下面が形成され、下面の左右端部は縦桟下部または補強材下部まで切り欠かれて形成されており、上面の切り欠き位置と下面の切り欠き位置が垂直直線上にないことを特徴とする壁パネル。
【請求項２】
請求項１に記載の壁パネルにおいて、上面および下面の切り欠き位置はいずれも縦桟の上部および下部に設けられていることを特徴とする壁パネル。
【請求項３】
請求項２に記載の壁パネルの接続構造において、二枚の壁パネルに渡って連結材が壁パネルの裏面に嵌合し、壁パネル同士が連結され、壁パネルと連結材のいずれかに突起部が設けられ、もう一方に端部が細溝で形成される縦溝部が設けられ、突起部を縦溝部の細溝に嵌め込むことによって壁パネルと連結材が固定され、連結材を上方に移動させることにより突起部が細溝から抜けて壁パネルと連結材の嵌合が外れる構成とされており、連結材の左右壁の表面材側端部の上部に切り欠き部が形成されていることを特徴とする壁パネルの接続構造。
【発明の詳細な説明】
【技術分野】
【０００１】
本発明は、浴室などに使用される壁パネルおよび壁パネルの接続構造に関するものである。
【背景技術】
【０００２】
従来、浴室などに使用される壁パネルにおいて、表面材に水平に折り曲げられた上面が形成されており、隣接する壁パネルと接続する連結材を、上方から差し込んだりするために、壁パネルの端部などにおいて上面の一部が切り欠かれた構成は知られている（特許文献１、２）。
【０００３】
また、従来、同一平面で互いに隣接する二枚の壁パネルを、連結材を介して連結する構成は知られている。図６は、本出願人において本発明に先立って開発した壁パネルおよび壁パネルの接続構造であり、この構成を本明細書では比較例という。
【０００４】
図６（ａ）、（ｂ）に示す比較例１の壁パネルの接続構造４９では、壁パネル５０は、表面材５１と、表面材５１でカバーされる補強材５２と、壁パネル５０の左右端部に設けられた縦桟５３と、を備えている。補強材５２の裏面側は、裏面材５４でカバーされている。
【０００５】
表面材５１には、上端において裏面側に水平に折り曲げられた上面５６が形成されている。図示はしないが、下端においても同様に裏面側に水平に折り曲げられた下面が形成されている。
【０００６】
隣接する二枚の壁パネル５０は、表面材５１の前面に向けて水平断面が略凹字型をした連結材５７によって、連結する。互いに隣接する二枚の壁パネル５０を接続したり分離したりするために、連結材５７を上方から差し込んだり、上方に引き抜いたりする。そのために、上面５６の左右端部は、それぞれ切り欠かれて切り欠き５８が形成されている。
【０００７】
切り欠き５８は、図６（ｂ）に示すように、左右方向において縦桟５３と補強材５２の隙間６１まで形成されており、縦桟５３の上面が露出している。図示はしないが、下面の左右端部も、同様な切り欠きが形成され、下面が露出している。
【０００８】
連結材５７は、表面材５１の前面に向けて左右に突起６２が形成されており、左右の突起６２が、それぞれ左右の壁パネル５０に形成された溝（図示せず）に嵌合して壁パネル５０に固定されることで、二枚の壁パネル５０を接続する。
【０００９】
図６（ｃ）に示す比較例２の壁パネルの接続構造６４では、壁パネル６５は、比較例１と略同じであるが、左右端部において、補強材５２と縦桟６６を装着する空間を仕切る仕切り壁６８が後方に向けて形成されている構成を特徴とする。
【先行技術文献】
【特許文献】
【００１０】
【特許文献１】特許第３５０７８１７号公報
【特許文献２】特許第５０９２４４１号公報
【発明の概要】
【発明が解決しようとする課題】
【００１１】
図６（ａ）、（ｂ）に示す比較例１の壁パネルの接続構造４９では、壁パネル５０は、壁パネル５０の左右端部に形成された切り欠き５８は、縦桟５３と補強材５２の隙間６１まで切り欠かれて形成されている。そのような構成の壁パネル５０は、表面材５１に対して前側（表面側）から力が加わると、切り欠き５８の端部５９の近辺に応力が集中する。
【００１２】
比較例１、２の表面材が樹脂で形成されている場合は、一定以上の厚みを備えているため剛性があり、座屈、変形などの虞は低い。しかし、比較例１、２の表面材が、比較例１、２と同様の接続構造を備えた特許文献１記載の表面材のように、金属などの薄板で形成される場合は、切り欠き５８の端部５９は、縦桟５３と補強部材５２の隙間６１に位置するので、縦桟５３および補強部材５２のいずれからも支持されていないために、強度が小さい。従って、切り欠き５８の端部５９から座屈、変形などによって破損する虞がある。
【００１３】
本発明は、上記従来の問題を解決することを目的とし、表面材の上端および下端が裏面側に折り返されて形成された上面および下面が、それぞれ端部において切り欠かれた構成であっても、外力によって破損しにくい構造の壁パネルを実現することを課題とする。
【課題を解決するための手段】
【００１４】
本発明は上記課題を解決するために、薄板で構成される表面材と表面材裏面の中央部に設けられる補強材と表面材裏面の左右端部に設けられる縦桟を備える壁パネルにおいて、表面材の上端部は裏面側に折り曲げられて上面が形成され、上面の左右端部は縦桟上部または補強材上部まで切り欠かれて形成されており、表面材の下端部は裏面側に折り曲げられて下面が形成され、下面の左右端部は縦桟下部または補強材下部まで切り欠かれて形成されており、上面の切り欠き位置と下面の切り欠き位置が垂直直線上にないことを特徴とする壁パネルを提供する。
【００１６】
上面および下面の切り欠き位置はいずれも縦桟の上部および下部に設けられていることが好ましい。
【００１７】
二枚の壁パネルに渡って連結材が壁パネルの裏面に嵌合し、壁パネル同士が連結され、壁パネルと連結材のいずれかに突起部が設けられ、もう一方に端部が細溝で形成される縦溝部が設けられ、突起部を縦溝部の細溝に嵌め込むことによって壁パネルと連結材が固定され、連結材を上方に移動させることにより突起部が細溝から抜けて壁パネルと連結材の嵌合が外れる構成とされており、連結材の左右壁の表面材側端部の上部に切り欠き部が形成されていることが好ましい。
【発明の効果】
【００１８】
本発明では、表面材の上端部および下端部が裏面側に折り曲げられた上面および下面を備え、上面および下面の左右端部が切り欠かれて形成された切り欠きを備えた壁パネルにおいて、切り欠きは、縦桟上部および縦桟下部または補強材上部および補強材下部まで切り欠かれた構成とし、応力の集中する切り欠きを縦桟または補強材によって支持するので、壁の強度が低下することない。
【図面の簡単な説明】
【００１９】
【図１】本発明に係る壁パネルおよび壁パネルの接続構造の実施例を説明する図であり、（ａ）は壁パネルの一部を裏面側から見た図を示し、（ｂ）は（ａ）のＢ−Ｂ断面図を示す。
【図２】（ａ）は上記実施例の壁パネルの一部の平面図であり、（ｂ）は上記実施例の壁パネルを二枚、互い同一の垂直面に隣接して配置した状態を示す。
【図３】（ａ）は上記実施例の壁パネルの連結材の平面図であり、（ｂ）は連結材の一部の斜視図である。
【図４】上記実施例の壁パネルの接続構造を示す図であり、（ａ）は平面図であり、７（ｂ）は斜視図である。
【図５】上記実施例の壁パネルの接続構造を示す図であり、（ａ）は接続構造の内部も示す平面図であり、（ｂ）は接続構造の水平断面を上方から見た図である。
【図６】本発明に係る壁パネルおよび壁パネルの接続構造に対する比較例を説明する図であり、（ａ）、（ｂ）は比較例１を示し、（ａ）は斜視図であり、（ｂ）は平面図であり、（ｃ）は比較例２の平面図である。
【発明を実施するための形態】
【００２０】
本発明に係る壁パネルおよび壁パネルの接続構造を実施するための形態を実施例に基づき図面を参照して、以下説明する。
【実施例】
【００２１】
本発明に係る壁パネルおよび壁パネルの接続構造の実施例を図１〜図５において説明する。本発明に係る壁パネルは、建築物におけるいろいろな箇所（例えば、浴室）の構造用、部屋仕切り用など、各種の用途で用いられる壁として使用されるものである。本明細書では、壁の表面側は、例えば浴室内に面しているとし、壁の裏面側から見て、前を前方とし、後ろを後方とし、左右を左右方向とする。
【００２２】
（壁パネル）
本発明に係る壁パネル１は、図１および図２（ａ）に示すように、薄板で構成される表面材２と、表面材２の後面（裏面）の中央部に設けられる補強材３と、表面材２の裏面の左右端部に設けられる縦桟４と、を備えている。補強材３は、例えば、石膏ボードなどの材料で形成されている。
【００２３】
表面材２は、金属製の薄板から成り、その表面に塩化ビニルなどの薄膜が塗布され、防錆性、耐水性、耐蝕性を有するように処理されている。表面材２の前面８が、例えば、浴室内に面するように配置される。
【００２４】
表面材２の前面８の上端部は、図１（ａ）、（ｂ）、図２（ａ）、（ｂ）に示すように、裏面側に水平に折り曲げられて上面１０が形成されている。上面１０は、左右の端部においてそれぞれ切り欠かれ、切り欠き１１が形成されている。
【００２５】
本実施例では、上面１０の切り欠き１１は、図２（ａ）に示すように、縦桟４の上部まで形成され、縦桟４の上部の一部が上方に露出するように構成されている。図示はしないが、上面１０の切り欠きは、縦桟３の上部までではなく、補強材３の上部まで形成され、補強材３の上部の一部まで露出するように構成されていてもよい。
【００２６】
表面材２の下端部は、上端部と同様に、裏面側に水平に折り曲げられて、図１（ａ）、（ｂ）、図２（ａ）に示すように、下面１５が形成されている。下面１５の左右端部は、それぞれ反対端側に向けて切り欠かれ、切り欠き１６が形成されている。
【００２７】
本実施例では、表面材２の下面１５が切り欠かれて形成された切り欠き１６は、縦桟４の下部まで形成され、縦桟４の下部の一部が下方に露出するように構成されている。図示はしないが、下面１５の切り欠き１６は、補強材３の下部まで形成され、補強材３の下部の一部が露出するように構成されていてもよい。
【００２８】
ところで、壁パネル１は、縦桟４と補強材３の間に隙間２０を有するが、壁パネル１におけるこの隙間２０の部分は、他の部分に比べて強度的に弱い。また、表面材２の上面１０の切り欠き１１の部分（主に切り欠きの角部１２）と表面材２の下面１５の切り欠き１６の部分（主に切り欠きの角部１７）は、他の部分に比べて強度的に弱い。これらの強度的に弱い部分が重なることは、壁パネル１の強度の点から好ましくはない。
【００２９】
そこで、本発明の壁パネル１では、図１（ｂ）、図２（ｂ）に示すように、上面１０の切り欠き１１の位置と下面１５の切り欠き１６の位置は、同じ垂直直線上にないように形成されている。しかも、縦桟４と補強材３の隙間２０の位置に、上面１０の切り欠き１１と下面１５の切り欠き１６がこないように形成されている。
【００３０】
要するに、本発明の壁パネル１の特徴は、表面材２の上面１０の切り欠き１１の位置と下面１５の切り欠き１６の位置を左右方向にずらすとともに、切り欠き１１、１６は、いずれのも縦桟４と補強材３の隙間２０の位置にこないように形成されている。
【００３１】
図１（ｂ）、図２（ａ）に示すように、表面材２の前面８の左右の側端部（図２（ａ）では左側の側端部を示す）は、それぞれ裏面側に略コの字状に折り曲げられて側面２３および裏面２４が形成されている。表面材２の左右側端部において、それぞれ前面８、側面２３および裏面２４で囲まれるスペース２５に、縦桟４が側方から差し込まれ、表面材２に固定される。
【００３２】
裏面２４には、図１（ａ）に示すように、裏面２４の側端縁が側方に向けて切り欠かかれて、切り欠き２８が上下方向に延びるように形成されている。切り欠き２８の上下方向の一部は、側方に向けてさらに深く切り欠かれており、縦桟４に形成された後記する連結材嵌合用のスリット５の側縁に沿うように形成されている。          
【００３３】
縦桟４は、図１（ｂ）、図２（ａ）に示すように、断面略角パイプ状に形成されている。縦桟４の裏面側の壁には連結材嵌合用のスリット５が形成されている。このスリット５は、太幅部２９と細幅部３０とから構成されている。
【００３４】
太幅部２９は、スリット５の上下方向の中央部に形成され、後記する連結材３３の突起部３４が抜き差し可能なように広い横幅に形成されている。細幅部３０は、太幅部２９を挟んで上下に形成され、突起部３４が抜き差しできないように狭い横幅に形成されている。
【００３５】
図１（ａ）、図２（ｂ）に示すように、表面材２の裏面２４および縦桟４の裏面において、切り欠き２８およびスリット５の上方および下方の位置における、固定部３７で、表面材２と縦桟４は互いに固定される。この固定部３７は、表面材２の裏面２４に形成された凸部（例えば、ダボ）が、縦桟４に形成された孔または凹部に係合して成る。
【００３６】
（接続構造）
本発明に係る壁パネル１の接続構造４０を、図２〜図５などを参照して以下に説明する。図２（ｂ）に示すように、同一垂直面内に配置された、互いに隣接する二枚の壁パネル１は、連結材３３を介して接続される。
【００３７】
連結材３３は、金属材が、図３（ａ）、（ｂ）に示すような形状に折り曲げられて形成されたものである。連結材３３は、左右の当接部４１と、左右の当接部４１の間で当接部４１から後方に向けて突出した非当接部４２と、当接部４１に対して横幅方向外側に形成された左右のリブ部４３とを備えている。
【００３８】
図５（ａ）、（ｂ）に示すように、リブ部４３の一部を構成する連結材３３の左右の側端壁４５は、当接部４１より前方（表面材２の前面８側）に突出し、二枚の壁パネル１が連結材３３で連結されている接続構造４０において、表面材２の上面１０の下方まで延びるように形成されている。
【００３９】
この側端壁４５の前端部４６は、図３（ｂ）に示すように、その上部から切り欠かかれて切り欠き部４７が形成されている。この切り欠き部４７の前後方向の幅ｗは、二枚の壁パネル１が連結材３３で連結されている状態から分解するために連結材３３を上方に移動する際に、側端壁４５が表面材２の上面１０に当接しない程度の寸法とする。
【００４０】
左右の当接部４１の前面には、図３（ａ）に示すように、それぞれ前方に突出した突起部３４が設けられている。この突起部３４は、当接部４１に固定された首部３５と、首部３５を介して前方に向けてテーパ状に拡大する大径部３６とから形成されている。大径部３６の最大直径は、スリット５の太幅部２９の幅より小さく、細幅部３０の幅より大きく形成されている。
【００４１】
二枚の壁パネル１の接続構造４０を図４、図５に示すが、二枚の壁パネル１は、その２つの縦桟４が連結材３３の左右の当接部４１に当接し、縦桟４のスリット５の細幅部３０に連結材３３の左右の突起部３４の大径部３６が嵌合することで、それぞれ連結材３３に固定された状態で、互いに連結材３３を介して接続された状態となる。二枚の壁パネル１の隙間には目地材４８が挿入されて、止水される。
【００４２】
（作用）
以上の構成から成る本発明に係る壁パネル１および壁パネル１の接続構造４０の特徴をより明確にするために、その作用などについて説明する。
【００４３】
壁パネル１は、その表面材２の上端部および下端部は、前記したとおり、裏面側に折り曲げられて上面１０および下面１５が形成されており、これら上面１０および下面１５のそれぞれの左右端部には、切り欠き１１および切り欠き１６が形成されている。
【００４４】
このように切り欠き１１、１６が形成されていると、壁パネル１に外力が加わると、切り欠き１１、１６の角部１２、１７近辺に外力が集中し、表面材２が座屈したりして破損し易くなる。特に、切り欠き１１、１６が、縦桟４と補強材３の隙間２０の位置まで形成されている構成では、縦桟４または補強材３の支持がないので、相乗的に強度が低下するので、破損し易くなる。
【００４５】
本発明の壁パネル１は、図１（ｂ）、図２（ａ）に示すように、その上面１０の左右端部にそれぞれ設けた切り欠き１１は、縦桟４の上部または補強材３上部まで切り欠かれて形成されるようにして、切り欠き１１の角部１２の位置には、縦桟４または補強材３が存在する構成としたので、上面１０の切り欠き１１によって、壁パネル１の強度が低下することがない。
【００４６】
同様に、本発明の壁パネル１は、図１（ｂ）、図２（ａ）に示すように、その下面１５の左右端部にそれぞれ設けた切り欠き１６は、縦桟４の下部または補強材３下部まで切り欠かれて形成されるようにして、切り欠き１６の角部１７の位置には縦桟４または補強材３が存在する構成としたので、下面１５の切り欠き１６によって、壁パネル１の強度が低下することがない。
【００４７】
さらに、本発明の壁パネル１は、図１（ｂ）、図２（ａ）に示すように、上面１０の切り欠き１１の位置と下面１５の切り欠き１６の位置は、同一の垂直線上にはなく、左右方向にずらして形成されている。
【００４８】
このような構成にすると、主に応力の集中する上面１０の切り欠き１１の角部１２と下面１５の切り欠き１６の角部１７が、互いに左右方向にずれるので、応力の集中箇所が分散されるので、表面材２は破損しにくくなる。
【００４９】
図２（ｂ）に示すような二枚の隣接する壁パネル１を連結材３３で接続する場合には、連結材３３の左右の突起部３４の大径部３６を、縦桟４のスリット５の太幅部２９からスリット５内に差し込み、連結材３３を下方に移動して突起部３４の大径部３６を細幅部３０に嵌合させる。
【００５０】
すると、互いに隣接する二枚の壁パネル１の２つの縦桟４は、連結材３３の左右の当接部４１に当接するとともに、それぞれ連結材３３に固定された状態となるので、連結材３３を介して接続された状態となる。
【００５１】
このようにして、図４（ａ）、（ｂ）、図５（ａ）、（ｂ）に示すように、隣接する二枚の壁パネル１が連結材３３で互いに一つの垂直面内において接続された接続構造４０が得られる。
【００５２】
接続された二枚の壁パネル１を分離する場合には、図４、図５に示すような接続された状態から連結材３３を上方に移動させる。すると、突起部３４が縦桟４のスリット５の細幅部３０から太幅部２９に移動するので、突起部３４を太幅部２９を通して抜き出し、連結材３３を壁パネル１から外すことができる。これにより、接続された二枚の壁パネル１を分離することができる。
【００５３】
ところで、本発明の接続構造４０における連結材３３の左右の側端壁４５は、リブ４３の一部を成してしているが、縦桟４の端部に沿って前方に延ばすことで、連結材３３の全体としての強度を高めることができる。連結材３３の側端壁４５の前端部４６には上端から切り欠き部４７が形成されている。
【００５４】
二枚の壁パネル１を連結材３３で接続する際、或いは分解する際に、連結材３３の突起部３４をスリット５内で移動させる必要が生じるが、そのような場合であっても、切り欠き部４７が形成されているので、表面材２の上面１０に拘束されることなく、連結材３３を上下方向に移動することが可能である。
【００５５】
以上、本発明に係る壁パネルおよび壁パネルの接続構造を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５６】
本発明に係る壁パネルおよび壁パネルの接続構造は上記のような構成であるから、建築物のいろいろな箇所の構造用、仕切り用など、各種用途で用いられる壁として適用可能である。
【符号の説明】
【００５７】
１  壁パネル                                         
２  表面材                                           
３  補強材                                           
４  縦桟                                             
５  縦桟のスリット                                   
８  表面材の前面                                     
１０  表面材の上面                                   
１１  上面の切り欠き                                 
１２  上面の切り欠きの角部                           
１５  下面                                           
１６  下面の切り欠き                                 
１７  下面の切り欠きの角部                             
２０  縦桟と補強材の隙間                           
２３  表面材の側面                                   
２４  表面材の裏面                                   
２５  スペース                                       
２８  裏面の切り欠き                                 
２９  スリットの太幅部                               
３０  スリットの細幅部                               
３３  連結材                                         
３４  突起部                                         
３５  突起部の首部                                   
３６  突起部の大径部                                 
３７  表面材と縦桟の固定部                           
４０  壁パネルの接続構造                             
４１  当接部                                         
４２  非当接部                                       
４３  リブ部                                         
４５  側端壁                                         
４６  側端壁の前端部                                 
４７  側端壁の切り欠き部
４８  目地材
４９  壁パネルの接続構造
５０  壁パネル               
５１  表面材                 
５２  補強材                 
５３  縦桟
５４  裏面材                   
５６  表面材の上面           
５７  連結材                 
５９  切り欠きの端部         
６１  縦桟と補強材の隙間     
６２  突起
６４  壁パネルの接続構造                   
６５  壁パネル               
６６  縦桟                   
６８  仕切り壁               
【図１】
0006534818.tif 000002
【図２】
0006534818.tif 000003
【図３】
0006534818.tif 000004
【図４】
0006534818.tif 000005
【図５】
0006534818.tif 000006
【図６】
0006534818.tif 000007